(57)【要約】      （修正有）【課題】片手で比較的に簡易に操作できるサイズ調整手段を備える使い捨てのパンツ型着用物品の提供。【解決手段】サイズ調整手段２８は、長さ、幅方向を有する止着バンド２６を折り返すと止着バンドの折曲部位に当接可能な折り返し案内縁部８０ａを有する案内部材２７と止着バンドはおむつ本体２０の着衣対向面と対向する内外面と、着衣対向面に固定された近位部７４と、長さ方向の近位部の反対側に位置する摘持可能な遠位部７５の外面に配置されて着衣対向面及び止着バンド２６の外面の少なくとも一方に離脱可能に止着される止着域７６を有する。案内部材は外面外側で止着バンドを幅方向に延び、止着バンドを越えた両部位が着衣対向面に固定され、折り返し案内縁部が近位部と遠位部間で止着バンドの幅方向へ延びている。案内部材の着衣対向面の固定部７９と止着バンドの近位部の少なくとも一部が、前方域２０Ａ及び後方域２０Ｂのいずれか一方に共に位置する。【選択図】図１
2014217583.tif 000002
【特許請求の範囲】
【請求項１】
幅寸法を二等分する縦軸及び長さ寸法を二等分する横軸を有し、肌対向面とその反対側である着衣対向面とを有するおむつ本体と、着用状態において所要部分の寸法を縮めることのできるサイズ調整手段とを備えたパンツ型着用物品において、
前記おむつ本体は、前記横軸から前方に位置する前方域と、前記横軸から後方に位置する後方域とを有し、
前記サイズ調整手段は、長さ方向と幅方向とを有する止着バンドと、前記長さ方向において前記止着バンドを折り返すと前記止着バンドの折曲部位に当接可能な折り返し案内縁部を有する案内部材とを有し、
前記止着バンドは、前記着衣対向面と対向する内面及びその反対面である外面と、前記着衣対向面に固定された近位部と、前記長さ方向において前記近位部の反対側に位置する摘持可能な遠位部と、前記遠位部の前記外面に配置されて前記着衣対向面及び前記止着バンドの前記外面の少なくとも一方に離脱可能に止着される止着域とを有し、
前記案内部材は、前記外面の外側において前記止着バンドを前記幅方向において跨ぐように延びていて前記止着バンドを越えた両部位が前記着衣対向面に固定されており、前記折り返し案内縁部が前記近位部と前記遠位部との間において前記止着バンドの前記幅方向へ延びており、
前記案内部材の前記着衣対向面に固定された固定部のうちの少なくとも一部と、前記止着バンドの前記近位部のうちの少なくとも一部とが、前記前方域及び前記後方域のうちのいずれか一方の域にともに位置することを特徴とする前記着用物品。
【請求項２】
前記案内部材の前記固定部の全体と前記止着バンドの前記近位部の全体とが、前記前方域及び前記後方域のうちのいずれか一方の域にともに位置する請求項１に記載の着用物品。
【請求項３】
前記一方の域は前記横軸の方向に伸縮可能な弾性域を有しており、前記弾性域は、前記固定部と重なった状態、または、前記固定部よりも前記横軸の方向の内側に位置する状態のいずれかの状態である請求項１又は２に記載の着用物品。
【請求項４】
前記止着バンドと前記案内部材とは、繊維不織布シートから形成される請求項１〜３のいずれかに記載の着用物品。
【請求項５】
前記サイズ調整手段の使用前の状態において、前記止着域が、前記止着バンドの一部に止着されて外部に露出していない請求項１〜４のいずれかに記載の着用物品。
【請求項６】
製造時から需要者に供給されるまでの間において、前記案内部材が前記止着バンドを跨いだ態様にある請求項１〜５のいずれかに記載の着用物品。
【請求項７】
前記案内部材は、前記折り返し案内縁部を除く外周縁部が前記前ウエスト域における前記外面に固定されており、前記止着バンドの前記近位部と前記遠位部の前記先端を除く部分とが前記案内部材に被覆される請求項１〜６のいずれかに記載の着用物品。
【請求項８】
前記おむつ本体は、前ウエスト域と後ウエスト域とを有し、前記止着バンドの近位部は、前記前後ウエスト域の前記側縁部どうしが互いに重なり合って接合されるサイドシームにおいて接合される請求項１〜７のいずれかに記載の着用物品。
【請求項９】
前記サイズ調整手段は、前記止着バンドを前記長さ方向へ引っ張ったときに生じる前記案内部材との摺動を円滑化させるための手段を有する請求項１〜８のいずれかに記載の着用物品。
【請求項１０】
前記円滑化させるための手段は、前記止着バンドと前記案内部材との摩擦を低減するための部材を配置してなる請求項１〜９のいずれかに記載の着用物品。
【請求項１１】
前記円滑化させるための手段は、前記止着バンドの前記外面に塗布されたシリコンオイルである請求項１０に記載の着用物品。
【請求項１２】
前記円滑化させるための手段は、前記案内部材の前記止着バンドを覆う被覆部の前記内面に取り付けられたプラスチックフィルムである請求項１０に記載の着用物品。
【請求項１３】
前記案内部材の前記止着バンドを覆う被覆部には、前記長さ方向へ延びる複数条の弾性体が伸長された状態かつ前記被覆部とともに収縮可能な状態で取り付けられる請求項１〜１２のいずれかに記載の着用物品。
【発明の詳細な説明】
【技術分野】
【０００１】
本発明は、パンツ型着用物品に関し、より詳しくは、サイズ調整可能な手段を備えるパンツ型の使い捨ておむつ、使い捨てのトイレット・トレーニングパンツ、使い捨て失禁パンツ、使い捨ての生理用パンツ等の使い捨てのパンツ型着用物品に関する。
【背景技術】
【０００２】
従来、サイズ調整手段を有するパンツ型着用物品は公知である。例えば、特許文献１には、前後ウエスト域の両側縁どうしを連結するサイドシームに固定された近位部と、固定部の反対側に位置する遠位部とを有するサイズ調整手段としての止着バンドを備えるパンツ型おむつが開示されている。特許文献２には、前後ウエスト域のうちの一方のウエスト域のレッグ開口近傍に固定された近位部と、他方のウエスト域の側縁部に止着可能な遠位部とを有するサイズ調整手段としての止着バンドを備えるパンツ型おむつが開示されている。
【先行技術文献】
【特許文献】
【０００３】
【特許文献１】特許第３７４９２５５号公報
【特許文献２】特開２００５−５８３９６号公報
【発明の概要】
【発明が解決しようとする課題】
【０００４】
特許文献１に開示された発明に係るおむつでは、止着バンドの遠位部を一方のウエスト域に向かって引っ張りながらその側縁部に止着することによって、該側縁部にギャザーが形成され、ウエスト域の弛みをなくして寸法が小さくなるように調整されて、ウエスト域を着用者の胴回りにフィットさせることができる。一方、特許文献２に開示された発明に係るおむつでは、一方のウエスト域に固定された止着バンドの自由部を引っ張りながら他方のウエスト域の外面に止着することによって、レッグ開口縁部の弛みをなくしてその寸法が小さくなるように調整されて、クロッチ域を着用者の脚回りにフィットさせることができる。
【０００５】
しかし、これらいずれのおむつにおいても、止着バンドの近位部の位置する一方のウエスト域と止着される他方のウエスト域とが連結されているため、止着バンドを引っ張って他方のウエスト域側へ引っ張ったときに他方のウエスト域が連動して止着バンドから離れる方向へ動いてしまう。そのため、操作者は一方の手で止着バンドを引っ張りながら他方の手で他方のウエスト域を抑えておくことが必要となり、手間である。特に、かかるサイズ調整手段は、着用者によって身体の大きさが大小異なる高齢者を中心とした大人用の着用物品に好適に使用されるところ、着用者が高齢者であって自ら着用する場合には両手で操作し難く、問題があった。また、介助者が着用操作をする場合であっても、両手ではなく片手で簡易に操作できることが求められていた。
【０００６】
本発明の課題は、片手で比較的に簡易に操作することができるサイズ調整手段を備える使い捨てのパンツ型着用物品の提供にある。
【課題を解決するための手段】
【０００７】
前記課題を解決するために、本発明は、幅寸法を二等分する縦軸及び長さ寸法を二等分する横軸を有し、肌対向面とその反対側である着衣対向面とを有するおむつ本体と、着用状態において所要部分の寸法を縮めることのできるサイズ調整手段とを備えたパンツ型着用物品に関する。
【０００８】
本発明のパンツ型着用物品は、前記おむつ本体は、肌対向面及びその反対面の着衣対向面と、前記横軸から前方に位置する前方域と、前記横軸から後方に位置する後方域とを有し、前記サイズ調整手段は、長さ方向と幅方向とを有する止着バンドと、前記長さ方向において前記止着バンドを折り返すと前記止着バンドの折曲部位に当接可能な折り返し案内縁部を有する案内部材とを有し、前記止着バンドは、前記着衣対向面と対向する内面及びその反対面である外面と、前記着衣対向面に固定された近位部と、前記長さ方向において前記近位部の反対側に位置する摘持可能な遠位部と、前記遠位部の前記外面に配置されて前記着衣対向面及び前記止着バンドの前記外面の少なくとも一方に離脱可能に止着される止着域とを有し、前記案内部材は、前記外面の外側において前記止着バンドを前記幅方向において跨ぐように延びていて前記止着バンドを越えた両部位が前記着衣対向面に固定されており、前記折り返し案内縁部が前記近位部と前記遠位部との間において前記止着バンドの前記幅方向へ延びており、前記案内部材の前記着衣対向面に固定された固定部のうちの少なくとも一部と、前記止着バンドの前記近位部のうちの少なくとも一部とが、前記前方域及び前記後方域のうちのいずれか一方の域にともに位置することを特徴とする。
【発明の効果】
【０００９】
本発明に係るパンツ型着用物品によれば、止着バンドと案内部材とから構成されたサイズ調整手段を備え、案内部材の折り返し案内縁部から延出する部分を片手で摘んで引っ張り、それを折り返して遠位部に形成された止着域を前ウエスト域等のおむつの外面に止着することによって止着バンドの近位部と案内部材の案内縁部との間に位置する部分の寸法を縮めるように調整することができる。このように作用するサイズ調整手段により、着用物品のウエスト域、クロッチ域やレッグ開口縁部等の弛みをなくして着用者の身体にフィットさせるという一連の操作を片手で行うことができる。
【図面の簡単な説明】
【００１０】
【図１】本発明に係る使い捨てのパンツ型着用物品の一例として示す、第１実施形態における使い捨ておむつの正面図。
【図２】各弾性体をおむつの前後方向に伸長させた状態における、おむつの一部破断展開図。
【図３】おむつの分解斜視図。
【図４】図１のＩＶ−ＩＶ線に沿う模式的断面図。
【図５】前ウエスト域の一方側部の拡大平面図。
【図６】止着バンドを内方へ向かって引っ張った状態を示す図５と同様の平面図。
【図７】止着バンドの遠位部を止着した状態を示す図６と同様の平面図。
【図８】案内部材の接合強度の測定方法の様子を示す図。
【図９】おむつの変更例の一例を示す図５と同様の図。
【図１０】おむつの変更例の一例を示す図７のＸ線に沿う模式的断面図。
【図１１】おむつの変更例の一例を示す図５と同様の図。
【図１２】第２実施形態におけるおむつの正面図。
【図１３】止着バンドを内方へ引っ張った状態における前ウエスト域の一方側部の拡大平面図。
【図１４】止着バンドの遠位部を止着した状態を示す図１１と同様の平面図。
【図１５】第１実施形態におけるおむつの製造工程の一部を示す図。
【図１６】第２実施形態におけるおむつの製造工程の一部を示す図。
【発明を実施するための形態】
【００１１】
＜第１実施形態＞
図１〜３を参照すると、本発明の第１実施形態に係るパンツ型着用物品の一例である使い捨ておむつ１０は、その幅寸法を二等分する縦軸Ｙ及びその長さ寸法を二等分する横軸Ｘとを有し、肌対向面及びそれに対向する着衣対向面とを有するおむつ本体２０と、おむつ本体２０の非肌対向面に配置されたサイズ調整手段２８とを含む。おむつ本体２０は、縦軸Ｙに関して対称に形成されており、ウエスト回り方向へ延びる環状の弾性ウエストパネル１１と、弾性ウエストパネル１１の肌対向面側に取り付けられた吸液構造体１２と、前ウエスト域１３と、後ウエスト域１４と、前ウエスト域１３および後ウエスト域１４の間に位置するクロッチ域１５とを含む。おむつ本体２０は、説明の便宜上、横軸Ｘから前方に位置する前方域２０Ａと、横軸Ｘから後方に位置する後方域２０Ｂとに区分される。前方域２０Ａは、前ウエスト域１３及びクロッチ域１５の前側部分を含み、後方域２０Ｂは、後ウエスト域１４及びクロッチ域１５の後方部分を含む。
【００１２】
＜弾性ウエストパネル＞
図２を参照すると、弾性ウエストパネル１１は、前ウエスト域１３に位置する前ウエストパネル１７と、後ウエスト域１４に位置する後ウエストパネル１８とから構成される。前ウエストパネル１７は、吸液構造体１２の前端部１２ａと交差し、横軸Ｘの方向へ延びる中間内端縁１７ａと、縦軸Ｙの方向において中間内端縁１７ａと離間対向して横軸Ｘの方向へ延びる外端縁１７ｂと、外端縁１７ｂから下方へ延びる両外側縁１７ｃと、両側縁１７ｃと外端縁１７ｂとをつなぐ凹曲状の内側縁１７ｄとによって略台形状に形成される。後ウエストパネル１８は、吸液構造体１２の後端部１２ｂと交差し、横軸Ｘの方向へ延びる中間内端縁１８ａと、縦軸Ｙの方向において中間内端縁１８ａと離間対向して横軸Ｘの方向へ延びる外端縁１８ｂと、外端縁１８ｂから下方へ延びる両外側縁１８ｃと、両側縁１８ｃと中間内端縁１８ａとをつなぐ凹曲状の両内側縁１８ｄとによって略台形状に形成される。
【００１３】
前ウエストパネル１７の両側縁１７ｃのそれぞれと後ウエストパネル１８の両側縁１８ｃとは、互いに重ね合わされて、縦軸Ｙの方向へ断続的に延びるサイドシーム２２によって連結されることによってウエスト開口及び一対のレッグ開口が画定される。サイドシーム２２は、熱又は超音波によるエンボス加工によって互いに重なり合うシートが融着される。前ウエスト域１３の両側部２５には、サイドシーム２２から内方へ延びる止着バンド２６と、止着バンド２６の一部を被覆するループ状の案内部材（折り返し案内部材）２７とから構成されたサイズ調整手段２８が配置される。
【００１４】
＜前ウエストパネル＞
図２を参照すると、前ウエストパネル１７は、肌対向面側に位置する内層シート２９と、着衣対向面側に位置する外層シート３０と、横軸Ｘの方向へ延びる複数条のストリング状又はストランド状の弾性材料から形成され、内外層シート２９，３０の間においてホットメルト接着剤を介して伸長状態で収縮可能に取り付けられた前ウエスト弾性体とを有する。前ウエスト弾性体は、外端縁１７ａに沿って配設された第１前ウエスト弾性体３１と、第１前ウエスト弾性体３１の下方に位置し、かつ、横軸Ｘの方向において離間対向する第２前ウエスト弾性体３２と、第２前ウエスト弾性体３２の下方において、第２前ウエスト弾性体３２間の離間部分に配置された第３前ウエスト弾性体３３とを有する。第３前ウエスト弾性体３３の配置領域は、前ウエスト域１３の他の領域に比して複数条の弾性材料が集中して配置されており、高弾性域３４が形成される。第３前ウエスト弾性体３３は、第２前ウエスト弾性体３２の内端部よりも横軸Ｘの方向の内側へ位置しており、第２前ウエスト弾性体３２の上側部分の内端部間及び第３前ウエスト弾性体３３の内端部間には、各弾性体が配設されていない非弾性域３５が画定される。
【００１５】
＜後ウエストパネル＞
図２を参照すると、後ウエストパネル１８は、肌対向面側に位置する内層シート３８と、着衣対向面側に位置する外層シート３９と、横軸Ｘの方向へ延びる複数条のストリング状又はストランド状の弾性材料から形成され、内外層シート３８，３９の間においてホットメルト接着剤を介して伸長状態で収縮可能に取り付けられた後ウエスト弾性体とを有する。後ウエスト弾性体は、外端縁１８ｂに沿って延びる第１後ウエスト弾性体４１と、第１後ウエスト弾性体４１の下方に位置する第２後ウエスト弾性体４２と、両外側縁１８ｃ間において第２後ウエスト弾性体４２と交差して内側縁１８ｄに沿って延びる第３後ウエスト弾性体４３とから構成される。後ウエストパネル１８の中央部には第２及び第３後ウエスト弾性体４２，４３が配設されておらず、各弾性体が配設されていない非弾性域４５が画定される。
【００１６】
前後ウエストパネル１７，１８を構成する各種のシート、すなわち、内外層シート２９，３０，３８、３９は、質量約１５〜３０ｇ／ｍ２の疎水性のスパンボンド不織布またはＳＭＳ（スパンボンド・メルトブローン・スパンボンド）繊維不織布、プラスチックフィルム又はそれら不織布の少なくとも一つとのラミネートシート等から形成することができる。互いに積層されたシートは、少なくともいずれか一方の内面に間欠的に塗布されたホットメルト接着剤又は前記熱溶着手段によって接合される。
【００１７】
第１前後ウエスト弾性体３１，４１及び第３前ウエスト弾性体３３は、繊度が約８００〜１１００ｄｔｅｘであって、収縮または弛緩された状態から約２．０〜３．０倍に伸長されたストリング状またはストランド状の弾性材料から形成することができる。第２前後ウエスト弾性体３２，４２及び第３後ウエスト弾性体４３は、繊度が約３５０〜６００ｄｔｅｘであって、収縮または弛緩された状態から約１．５〜２．２倍に伸長されたストリング状またはストランド状の弾性材料から形成することができる。ただし、各弾性体の繊度や伸長倍率は所要の収縮力や伸長応力に応じて適宜変更することができる。
【００１８】
＜吸液構造体＞
図２を参照すると、吸液構造体１２は、縦長の略矩形状であって、前ウエストパネル１７の肌対向面と連結された前端部１２ａと、後ウエストパネル１８の肌対向面と連結された後端部１２ｂと、前後端部１２ａ，１２ｂ間において縦軸Ｙの方向へ延び、クロッチ域１５の一部を形成する中間部１２ｃとを有する。
【００１９】
図２及び３を参照すると、吸液構造体１２は、肌対向面側に位置する透液性の身体側ライナ５０と、着衣対向面側に位置する疎水性の被覆シート５１と、それらの間に介在されたパッド状の吸液性を有する吸収体５２とを含む。身体側ライナ５０は、例えば、質量約１５〜２５ｇ／ｍ２の親水化処理されたスパンボンド繊維不織布、ＳＭＳ繊維不織布等から形成することができる。被覆シート５１は、質量約１０〜２０ｇ／ｍ２の疎水性のＳＭＳ繊維不織布やスパンボンド不織布等から形成される。被覆シート５１と吸収体５２との間には、質量約１０〜２５ｇ／ｍ２の通気性を有するプラスチックフィルムから形成された防漏フィルム５４が配置される。
【００２０】
被覆シート５１の両側部５１ａは、その一部が内方へ向かって折り曲げられて固定されており、該折曲部とそれに対向する被覆シート５１との間には、縦軸Ｐの方向へ延びる、繊度が約４００〜８００ｄｔｅｘであって、収縮または弛緩された状態から約２．０〜３．０倍に伸長された複数条のストリング状又はストランド状の弾性材料から形成されたレッグ弾性体５６が配置される。該両側部５１ａの内側縁側の一部にはスリーブが形成されており、スリーブ内には、ストリング状又はストランド状の弾性材料から形成されたカフ弾性体５７が配置される。
【００２１】
吸収体５２は、フラッフ木材パルプや超吸収性ポリマー粒子等の吸収性・離散材料から形成された吸液性コア５８と、吸液性コア５８全体を包被する質量約１０〜２０ｇ／ｍ２のティッシュペーパ等から形成された透液性のコアラップシート５９とを有する。
【００２２】
＜サイズ調整手段＞
図４及び５を参照すると、サイズ調整手段２８は、公知の繊維不織布、例えば、質量が約２０〜１００ｇ／ｍ２、好ましくは、約４０〜８０ｇ／ｍ２のスパンボンド繊維不織布から形成された止着バンド２６と、公知の繊維不織布、例えば、質量が約３０〜８０ｇ／ｍ２、好ましくは、約４０〜６０ｇ／ｍ２のスパンボンド繊維不織布やＳＭＳ繊維不織布から形成された、止着バンド２６が挿通されるループ形状の案内部材２７とを有する。止着バンド２６は、おむつ１０の外面と対向する内面及びその反対側の外面を有し、横軸Ｘの方向において互いに対向する外端縁２６ａと内端縁２６ｂと胴回り方向へ延びる両側縁とから画定された矩形である。止着バンド２６は、前ウエスト域１３の両側縁部においてサイドシーム２２を介して固定された近位部７４と、その長さ方向において近位部７４の反対側に位置する遠位部７５と、近位部７４から遠位部７５へ延びる長さ方向と、長さ方向に直交する幅方向とを有する。遠位部７５は、その外面に位置する矩形の止着域７６と、止着域７６から内端縁側へ延びる摘持部７７とを有する。
【００２３】
止着域７６は、メカニカルファスナのフック要素から形成され、前後ウエスト域１３，１４の外面を形成する繊維不織布製の外層シート３０，３９に止着することができる。一方、前後ウエスト域１３，１４の外面がプラスチックフィルムから形成されている場合には、止着域７６は感圧性接着剤から形成される。止着域７６は、案内部材２７よりも横軸Ｘの方向の内側へ位置しており、近位部７４と遠位部７５との間の部分に折り重ねられて止着されている。このように、サイズ調整手段２８を使用していない状態において、フック要素等から形成された止着域７６が露出していないので、それに着用者の身体が触れて刺激を与えたりするおそれはない。かかる効果を奏するために、止着域７６自体を折り曲げるのではなく、止着域７６の長さ寸法よりも大きい長さ寸法を有する摘持部７７を設け、摘持部７７を折り曲げて止着域７６に重ねてもよい。
【００２４】
案内部材２７は、縦軸Ｙの方向において離間する、外層シート３０の外面に固定された、止着バンド２６の幅方向において対向する両側固定部７９と、両側固定部７９間に位置する外層シート３０に固定されていない、止着バンド２６をその幅方向において跨いでその一部を被覆する被覆部８０とを有する。止着バンド２６の幅寸法Ｗ１（縦軸Ｙの方向の寸法）は約１５〜４０ｍｍ、長さ寸法Ｌ１（横軸Ｘの方向の寸法）は約１２０〜２４０ｍｍである。案内部材２７の幅寸法Ｗ２（横軸Ｘの方向の寸法）は約１０〜３０ｍｍ、長さ寸法（縦軸Ｙの方向の寸法）Ｌ２は約２５〜６０ｍｍである。「案内部材８２が止着バンド２６を幅方向に跨いでいる」とは、折り返し案内縁部８０ａが幅方向と並行して延びている場合のほかに、幅方向と並行せずに、止着バンド２６の両側縁に対して傾斜して交差する場合を含む。
【００２５】
おむつ１０のレッグ開口縁部が着用者の大腿部７２に対して比較的に大きい周囲寸法を有する場合、すなわち、レッグ開口縁部の上端縁２３と大腿部７２との間に僅かな離間部位（隙間）８１が形成されている場合には、レッグ開口縁部が着用者の大腿部７２にフィットせず、排泄物の漏れを誘発する原因となる。特に、着用者の身体の大きさが大小異なる大人用のおむつにおいては、かかる事態が生じ易い。かかる場合において、着用者が下記の手順に従って、サイズ調整手段２８の止着バンド２６を横軸Ｘの方向の内側に引っ張った後に反転させ、案内部材２７に沿って折り返して前ウエスト域１３、後ウエスト域１４の着衣対向面又は止着バンド２６の外面に止着することによって、レッグ開口縁部を着用者の大腿部７２にフィットさせ、排泄物の漏れの原因となる離間部位８１の形成を防止することができる。
【００２６】
＜第１ステップ＞
図６を参照すると、まず、着用者が止着バンド２６の摘持部７７を一方の手で摘んで横軸Ｘの方向の内側へ引っ張って近位部７４を着用者の大腿部７２に近づくように引き寄せ、すなわち、矢印Ｆの方向へ引っ張って、サイドシーム２２と案内部材２７間に位置する離間部位Ｒのたくり寄せる量（寸法）を調整する。たくり寄せられる量に応じて案内部材２７の近傍には複数のギャザー８２が形成される。
【００２７】
＜第２ステップ＞
図７を参照すると、次に、止着バンド２６を引っ張った状態のまま案内部材２７の内側縁（折り返し案内縁部）８０ａに沿って折り返して矢印Ｐの方向へ引っ張って前ウエスト域１３の着衣対向面に止着域７６を介して止着する。折り返す方向は、斜め上方に限らず、１８０度反転させて案内部材２７の外面に止着域７６を止着してもよいし、斜め下方へ反転させておむつ１０の着衣対向面に止着してもよい。止着域７６を止着することによって、離間部位Ｒの寸法が縮められた状態のまま維持されて、おむつ１０が着用者の身体にフィットされた状態となる。このように、第１ステップの状態を維持するために前ウエスト域１３を他方の手で抑えておく必要はなく、操作者は止着バンド２６を第１ステップ、第２ステップの順に連続して片手で比較的に簡易に操作することができる。
【００２８】
また、止着バンド２６が案内部材２７に予め被覆されていない場合には、まず、一方の手で止着バンド２６の摘持部７７を摘持しながら他方の手で案内部材２７を掴んで止着バンド２６を被覆部８０に挿通させる操作が必要になるところ、既述のとおり、おむつ１０の着用前の状態において、すでに止着バンド２６の一部が案内部材２７の被覆部８０に挿通されて遠位部７５の一部が折り返し案内縁部８０ａよりも横軸Ｘの方向の内側に延出しているので、操作者は摘持部７７を摘まんでそのままの状態から第１及び第２ステップの順に止着バンド２６を操作することができ、終始片手でサイズ調整を行うことができる。
【００２９】
本実施形態において、サイズ調整手段２８を構成する止着バンド２６の近位部７４と案内部材２７の固定部７９とが同一のウエスト域１３，１４に位置している。したがって、該ウエスト域の一方側縁部がおむつ１０の内方へ向かって引き寄せられることによって、レッグ開口が該ウエスト域側に向いた状態となる。サイズ調整手段２８が前ウエスト域１３に位置する場合には、例えば、着用者が猫背の状態のときや背中と両膝を曲げて丸くなった状態で横臥するときには、おむつ１０の前ウエスト域１３側が弛んで着用者の身体から離間してしまうおそれがあるが、かかる姿勢や体型であっても、サイズ調整手段２８によってサイズ調整することによっておむつ１０の前ウエスト域１２側が弛むことなく、着用者の身体にフィットさせることができる。したがって、本願発明のサイズ調整手段２８は、単に胴回りや脚回りのサイズ寸法を調整するだけでなく、着用者の身体形状に合わせたサイズ調整が可能なものといえる。
【００３０】
サイズ調整手段２８が後ウエスト域１４に位置する場合には、おむつ１０の側縁部を後方に引き寄せ、それによっておむつ１０全体を着用者の背面側に引き寄せることができる。例えば、着用者が高齢者であって臀部が痩せ細ってしまっている場合には、腰回り全体の寸法に対して臀部の厚みが小さく、後ウエスト域１４側の臀部と対向する部分が弛んでしまうおそれがあるところ、サイズ調整手段２８を後ウエスト域１４に配置することによって、かかる体型であっても、着用者の身体におむつ１０を安定的にフィットさせることができる。したがって、本願発明のサイズ調整手段２８は、単に胴回りや脚回りのサイズ寸法を調整するだけでなく、着用者の身体形状に合わせたサイズ調整が可能なものといえる。このように、サイズ調整手段２８を前後ウエスト域１３，１４のいずれかに配置した場合であっても、ウエスト域及びレッグ開口縁部を着用者の姿勢や身体形状に合わせて引き寄せることができ、また、前ウエスト域１３に固定された案内部材２７をクロッチ域１５の前側に固定したり、後ウエスト域１４に固定された案内部材２７をクロッチ域１５の後側に固定しても同様の効果を得ることができる。すなわち、止着ベルト２６の近位部７４と案内部材２７の固定部７９とが、ともにおむつ１０の前方域２０Ａ又は後方域２０Ｂのいずれかに位置していればよい。一方、止着バンド２６の近位部７４と案内部材２７の固定部７９とが互いに異なるウエスト域に位置する場合には、単に前後ウエスト域の両側部をたくり寄せることによってサイズ調整されるので、前記の着用者の身体形状に合わせたサイズ調整を行うことができない。
【００３１】
案内部材２７の固定部７９は、吸収体５２の外側縁よりも横軸Ｘの方向の外側に位置している。第２ステップにおいて、止着バンド２６を反転させて案内縁部８０ａに沿って折り返して引っ張り上げたときに、比較的に剛性の高い吸収体５２と固定部７９との間の離間部分が引っ張られて身体から離れるおそれがあるところ、該部分に弾性域を設けることによって、離間部分を着用者の身体にフィットさせることができる。すなわち、案内部材２７の固定部７９と重なる位置及び／または、案内部材２７の固定部７９よりも横軸Ｘの方向の内側に弾性域を設けることによって、サイズ調整するときには該弾性域の伸長作用によって止着バンド２６をより容易に内側へ引っ張ることができ、一方、サイズ調整後においては、該弾性域が収縮することによってサイズ調整された状態のままおむつ１０が着用者の身体にフィットされる。本実施形態においては、特に、該離間部分に前ウエスト域１３の他の領域に比して弾性力の高い、第３前ウエスト弾性体３３が配設された高弾性域３４が位置しているので、かかる効果をより発揮することができる。
【００３２】
＜案内部材の接合強度＞
第２ステップにおいて、止着バンド２６を案内部材２７の折り返し案内縁部８０ａを起点として折り返したときに、案内部材２７の前ウエスト域１３に対する止着が解除されないようにするために、案内部材２７の固定部７９は所要の接合強度を有することが必要であって、具体的には、接合強度は、好ましくは約７〜１００Ｎ、より好ましくは、約１５〜７０Ｎである。かかる接合強度が７Ｎ以下の場合には、止着バンド２６を折り返し案内縁部８０ａを介して折り返したときに案内部材２７の固定部７９が前ウエスト域１３から剥離してしまうおそれがあり、一方、１００Ｎ以上の場合には両側固定部７９の繊維不織布としての柔軟性が損なわれて比較的に剛性が高くなり、着用者の肌に違和感や刺激を与えるおそれがある。
【００３３】
＜止着バンドの止着強度＞
おむつ１０の着用中に寸法調整をしている止着バンド２６の緊張状態が解除されないようにするために、止着バンド２６の止着域７６は前ウエスト域１３に止着されたときに所要の止着強度を有することが必要である。具体的には、止着強度は、好ましくは約３〜７５Ｎ、より好ましくは５〜６０Ｎである。止着強度が３Ｎ以下の場合には、着用中に止着バンド２６の止着が解除されてしまうおそれがあり、一方、止着強度が７５Ｎ以上の場合には、再度寸法調整をやり直すために止着を解除するとき等に過度の力を要し、片手で操作がし難くなるおそれがある。
【００３４】
＜案内部材の接合強度の測定方法＞
図８を参照すると、案内部材２７の接合強度は、引張試験機（島津製作所（株）製のオートグラフ試験機（ＡＧ−Ｘ１０ｐｌｕｓ）を用いて下記の方法によって測定した。まず、案内部材２７の折り返し案内縁部８０ａから横軸Ｘの方向の内側へ２５ｍｍ及び外側へ５０ｍｍの寸法（合計７５ｍｍ）を前ウエストパネル１７ごと切り取ってサンプル８３とし、サンプルの裏面（おむつ１０の肌対向面）をステンレス板に両面テープで貼り付けた。案内部材２７の接合強度よりも高い引き裂き強度を有する白布８６（２５ｍｍ×２００ｍｍ）を折り返し案内縁部８０ａから案内部材２７に挿通させた。挿通させて重ねた白布８６を可動チャック８７に取り付け、それと対向するサンプル８３の側縁部を固定チャック８８に取り付けた。可動チャック８７を引張速度１００ｍｍ／分でＱ方向へ引っ張って、引っ張り強度を求め、かかる測定を５回（Ｎ＝５）行い、その平均値を接合強度とした。
【００３５】
＜止着バンドの止着強度の測定方法＞
止着強度は、引張試験機（島津製作所（株）製のオートグラフ試験機（ＡＧ−Ｘ１０ｐｌｕｓ）を用いて下記の方法によって測定した。まず、任意のおむつ１０から止着バンド２６を切り取りサンプル１とし、サンプル１を係合させる対象として、おむつ１０の外層シートの一部を切り出してサンプル２とした。次いで、サンプル１における止着バンド２６の止着域７６をサンプル２の対向面（おむつ１０の着衣対向面側）に対向させるようにして両サンプルを重ねる。重ねた状態の両サンプルの上から質量約７００ｇのローラー（直径約８５ｍｍ、幅約４５ｍｍ）を３００ｍｍ／分の速度で止着バンドの係脱方向に沿って１往復させて止着域７６をサンプル２の対向面に圧着させた。圧着させた両サンプル引張試験機にセットして、引っ張り速度約１００ｍｍ／分で引っ張って両サンプルの係合力を測定し、止着バンド２６の止着強度とした。
【００３６】
図９を参照すると、第１実施形態におけるおむつ１０の変更例の一例を示す図６と同様の正面図であって、止着バンド２６の外面には、シリコンオイル等の潤滑剤が塗布してあり、質量約１５〜２５ｇ／ｍ２のプラスチックフィルム（摩擦抵抗低減手段）８４が貼付されている。止着バンド２６には、このようなフィルムの貼付に代えて、案内部材２７に対しての摩擦抵抗軽減効果を奏することのできる材料、例えば、ポリエチレンやポリプロピレンを主成分とするプラスチックフィルム、表面にフッ素樹脂加工が施されているプラスチックフィルムや繊維不織布等を貼付することができる。また、プラスチックフィルム等の表面に多数の微細隆起部や止着バンド２６の長さ方向へ延びる複数条の隆起部を形成することによって、案内部材２７との接触面積を小さくすることも止着バンド２６の案内部材２７に対する摩擦抵抗を低減して滑りを良くするのに有効である。止着バンド２６の外面にフィルム８４が貼付されていることによって、止着バンド２６をＦ方向へ引っ張って案内部材２７の内面に摺接させるとき及び止着バンド２６を折り返して引っ張って折り返し案内縁部８０aに摺接させるときに摩擦抵抗を小さくすることができるので、止着バンド２６をスムーズに引っ張ることができ、より操作性が向上する。
【００３７】
図１０は、第１実施形態におけるおむつ１０の他の変更例の一例を示す図５と同様の正面図であって、シリコンオイル等の潤滑剤を塗布したプラスチックフィルム（摩擦低減手段）８５が少なくとも案内部材２７の内面に貼付されている。案内部材２７の内面にフィルム８５が配置されることによって止着バンド２６を矢印Ｆの方向へ引っ張って案内部材２７の内面に摺接させるとき及び止着バンド２６を矢印Ｐの方向へ折り返して引っ張って折り返し案内縁部８０ａに摺接させるときに摩擦抵抗を小さくすることができる。また、フィルム８５は、その端部８５ａが案内部材２７の折り返し案内縁部８０ａを覆うように折り曲げられて案内部材２７の外面に位置している。このように、フィルム８５を案内部材２７の折り返し案内縁部８０ａを覆うように配置することによって、止着バンド２６を折り返し案内縁部８０ａを介して折り返したときに止着バンド２６と案内部材２７との摩擦抵抗をより一層小さくすることができ、案内部材２７の変形や止着バンド２６の破れ等を防止することができる。
【００３８】
図１１は、第１実施形態におけるおむつ１０の他の変更例の一例を示す図５と同様のものであって、案内部材２７は縦軸Ｙに関して斜めに配置されている。また、止着バンド２６の近位部７４は前ウエスト域１３の側部２５に固定されており、遠位部７５は上方から下方へ向かって斜めに延びている。このように、止着バンド２６の近位部７４をサイドシーム２２ではなく前ウエスト域１３の側部２５や後ウエスト域１４の側部等に固定してもよい。また、止着バンド２６と案内部材２７とを縦軸Ｙに対して斜めに配置することによって、レッグ開口縁部よりも上方に位置するウエスト開口縁部の側部２５をたくり寄せて前後ウエスト域1３，１４を着用者の身体にフィットさせることもできる。
【００３９】
止着バンド２６の近位部７４をサイドシーム２２から離間した位置に固定する場合には、近位部７４とサイドシーム２２との間に弾性域が設けられていることが好ましい。本実施形態の場合には、該離間部分に第２前ウエスト弾性体３２が配置されて弾性域が設けられており、それにより、止着バンド２６をＦ方向に引っ張った後、案内縁部８０ａを介して折り返して遠位部７５を止着したときに、近位部７４とサイドシーム２２との離間する部分が身体から離間するように浮き上がったりすることなく、弾性域の弾性作用によって身体に適度にフィットする。
【００４０】
本発明に係るおむつ１０は、大腿部の大きさが着用者によって大小異なる大人用のおむつとして好適に使用される。本発明に係るサイズ調整手段２８は、前後ウエスト域１３，１４の外面のうちのいずれに配置されていてもよいし、たくり寄せる寸法量に応じて単数又は複数配置してもよい。
【００４１】
＜第２実施形態＞
図１２〜１４は、第２実施形態におけるおむつ１０の正面図等を示すものである。本実施形態のおむつ１０の基本構成は第１実施形態のそれと同様であって、相違する点についてのみ記述する。
【００４２】
図１２を参照すると、本実施形態においては、案内部材９０が、サイドシーム２２において他のシート部材とともに固定された外端縁と、外端縁と横軸Ｘの方向において離間対向する内端縁９０ａと、互いに縦軸Ｙの方向において離間対向して横軸Ｘの方向へ延びる両側縁とによって画定された横長矩形状であって、止着バンド２６を被覆する被覆部９１を有する。案内部材９０の外周縁のうちの内端縁９０ａの中央部を除く部分は熱溶着手段によってシールされており、該中央部には止着バンド２６の一部が案内部材２７から縦軸Ｙに向かって延出する自由縁（折り返し案内縁部）９２が形成される。なお、所要のシール強度を有す限りにおいて、案内部材９０の内端縁９０ａを除くシールされた外周縁のうち一部がシールされておらず、非連続のシール部が形成されていてもよい。
【００４３】
案内部材９０は、公知の繊維不織布、例えば、質量約１５〜３０ｇ／ｍ２のスパンボンド繊維不織布やＳＭＳ繊維不織布等から形成された内外面シート９３，９４と、被覆部９１の折り返し案内縁部９２側の内外面シート９３，９４間に配設定された横軸Ｘの方向へ延びる複数条の案内部材弾性体９５とを有する。案内部材弾性体９５は、繊度が約３００〜６００ｄｔｅｘであって、収縮または弛緩された状態から約１．５〜３．０倍に伸長されたストリング状またはストランド状の弾性材料から形成することができる。案内部材９０の各種寸法について言えば、幅寸法Ｗ３（縦軸Ｙの方向の寸法）は約４０〜８０ｍｍ、長さ寸法Ｌ３（横軸Ｘの方向の寸法）は約１２０〜２４０ｍｍである。
【００４４】
止着バンド２６は、前ウエスト域１３に固定された近位部７４が案内部材９０の被覆部９１の外端縁とともにサイドシーム２２を介して固定されており、遠位部７５が縦軸Ｙへ向かって延びている。遠位部７５のうちの止着域７６を含めた内端側の部分は案内部材９０の折り返し案内縁部９２からさらに縦軸Ｙ側へ延出しており、止着域７６を含む遠位部７５が内側へ折り曲げられて近位部７４と遠位部７５との間の領域に止着域７６が止着されている。また、止着バンド２６の近位部７４と止着域７６との間には、止着バンド２６の外面の平滑性を向上させて案内部材９０との摩擦抵抗を抑えるためのシリコン材料が塗布されている。
【００４５】
本実施形態におけるサイズ調整手段２８の操作手順は、第１実施形態と同様であって、図１３を参照すると、まず、操作者が一方の手で摘持部７７を摘持して止着バンド２６を矢印Ｆの方向へ引っ張って止着域７６による止着を解除するとともに、案内部材９０から引っ張り出し、そのままさらに引っ張ってレッグ開口縁部における弛みをなくしてレッグ開口縁部の内面を着用者の大腿部７２にフィットさせる（第１ステップ）。図１４を参照すると、次に、止着バンド２６を折り返して案内部材２７の折り返し案内縁部９２を介してウエスト開口側へ向かうＰ方向へ引っ張って止着域７６を前ウエスト域１３の外面に止着する（第２ステップ）。それにより、前ウエスト域１３の側縁部が内方へ引き寄せられて、案内部材９０の寸法が縮められた状態となる。
【００４６】
本実施形態においては、案内部材９０の被覆部９１には案内部材弾性体９５が配置されているので、第１ステップにおいて止着バンド２６を矢印Ｆの方向へ引っ張って案内部材２７から引き出すときに、前ウエスト弾性体３６，３７による弾性力とともに案内部材弾性体９５の弾性力を利用しておむつ１０の両側縁部を僅かな力で内側へ引き寄せることができる。また、第２ステップにおいて折り返し案内縁部９２に沿って止着バンド２６を反転させて斜め上方のＰ方向へ折り返すときに、縦軸Ｙに対して並行に位置する折り返し案内縁部９２を止着バンド２６の延在する方向に併せて柔軟に変形させることができ、案内部材２７及び／または止着バンド２６の一部が破断するおそれはない。さらに、止着バンド２６を引っ張って被覆部９１がたくれて凹凸状を呈していても、案内部材弾性体９５が配置されていることによって、前ウエスト域１３の他の前ウエスト弾性体が配置された領域とともに全体として着用者の身体にフィットするような外観を有する。
【００４７】
止着バンド２６は、そのほぼ全体が案内部材２７に被覆されているので、おむつ１０の着用前に破損したり捩れたりするおそれはない。また、比較的に幅狭の止着バンド２６が前後ウエスト域１３，１４の外面に位置する場合には目立つので、比較的に離れた場所から他人がおむつ１０を視たときに、それがおむつであることを容易に認識されるおそれがあるところ、比較的に幅広の案内部材２７によって止着バンド２６のほぼ全体を覆うことによってそれが目立つことはなく、一瞥しておむつであることを認識されるおそれはない。
【００４８】
図１５は、第１実施形態にかかるおむつ１０の製造工程の一部であって、複数のおむつ本体２０の基材となる複合パネル１００が機械方向ＭＤへ搬送される。複合パネル１００は、前ウエストパネル１７の基材となる第１複合パネル１０１と、後ウエストパネル１８の基材となる第２複合パネル１０２とを有し、第１複合パネル１０１と第２複合パネル１０２との間において、それらの一方面側に固定され、機械方向に断続的に配置される吸液構造体１２とを有する。第１及び第２複合パネル１０１，１０２の内部には前後ウエスト弾性体に相当する連続弾性体１０３が配設されている。
【００４９】
かかる構成を有する複合パネル１００において、第１複合パネル１０１の他方面側に２つの止着バンド２６の基材となる連続バンド１０５を機械方向ＭＤにおいて断続的に配置する。連続バンド１０５は、機械方向ＭＤにおいて対向するその両端部１０５ａ，１０５ｂの外面に止着域７６を有し、中央部及び両端部１０５ａ，１０５ｂにおいてヒートシール又はホットメルト接着剤等による接合部位１０６において仮止めされる。次に、連続バンド１０５の止着域７６を跨いで被覆するように矩形の不織布を配置し、機械方向ＭＤと交差する方向ＣＤにおいて対向する両端部（固定部７９）をホットメルト接着剤を介して固定して案内部材２７を形成する。次に、複合パネル１００の交差方向ＣＤにおける寸法を２等分するライン（図示せず）に沿って連続バンド１０５が外側になるように複合パネル１００を２つ折りにして搬送し、仮止めされた連続バンド１０５の中央部に交差方向ＣＤへ延びるライン状のヒートシール加工における一対の接合部位１０７を施して接合する。最後に、接合部位１０７間における複合パネル１００を切断ライン１０８に沿ってカットして個々のおむつ１０を製造することができる。
【００５０】
このように、おむつ本体２０の基材となる複合パネル１００に機械方向ＭＤに搬送しながら連続バンド１０５を取り付け、一度のカットでサイズ調整手段２８を備えたおむつ１０を連続的に製造することができるので、製造された個々のおむつに止着バンドと案内部材とをそれぞれ取り付ける場合に比して簡易に製造することができる。
【００５１】
図１６は、第２実施形態におけるおむつ１０の製造工程の一部を示す図であって、図１５の製造工程における複合パネル１００と同様に連続バンド１０５を他方面に取り付けた後、２つの案内部材９０に相当する、機械方向ＭＤへ延びる複数条の弾性体１１１を有する弾性シート１１０を連続バンド１０５を被覆するようにして配置し、交差方向ＣＤにおいて対向する両側部をヒートシール又はホットメルト接着剤を介して複合パネル１００に固定する。その後、複合パネル１００を２つ折りにして、連続バンド１０５とともにヒートシールして切断する工程は図１４と同様である。かかる工程によっても、複合パネル１００をカットすればサイズ調整手段２８を備えたおむつ１０を複数製造することができるので、製造された個々のおむつ１０に止着バンド２６と案内部材２７とをそれぞれ取り付ける場合に比して簡易に製造することができる。また、図１５及び図１６の製造工程によれば、おむつ１０の製造時から需要者に供給されるまでの間において、案内部材２７が止着バンド２６を跨いだ態様にあるので、着用者は止着バンド２６を案内部材２７に挿通する必要はなく、片手で止着バンド２６を引っ張ってサイズ調整をすることができる。
【００５２】
本発明のおむつ１０を構成する各構成材料には、特に記述がなされている場合を除き、この種の分野において通常用いられている、各種の公知の材料を制限なく用いることができる。また、前後ウエスト域が別体のシート部材から構成されたものではなく、前後ウエスト域１３，１４とクロッチ域１５とが一体に形成されていてもよい。具体的には、内外層シート２９，３０，３８，３９が、おむつ１０の外形をなす略砂時計状の一枚のシート部材から形成されていてもよい。
【００５３】
以上に記載した本発明に関する開示は、少なくとも下記事項に要約することができる。
幅寸法を二等分する縦軸及び長さ寸法を二等分する横軸を有し、肌対向面とその反対側である着衣対向面とを有するおむつ本体と、着用状態において所要部分の寸法を縮めることのできるサイズ調整手段とを備えたパンツ型着用物品において、
前記おむつ本体は、肌対向面及びその反対面の着衣対向面と、前記横軸から前方に位置する前方域と、前記横軸から後方に位置する後方域とを有し、前記サイズ調整手段は、長さ方向と幅方向とを有する止着バンドと、前記長さ方向において前記止着バンドを折り返すと前記止着バンドの折曲部位に当接可能な折り返し案内縁部を有する案内部材とを有し、前記止着バンドは、前記着衣対向面と対向する内面及びその反対面である外面と、前記着衣対向面に固定された近位部と、前記長さ方向において前記近位部の反対側に位置する摘持可能な遠位部と、前記遠位部の前記外面に配置されて前記着衣対向面及び前記止着バンドの前記外面の少なくとも一方に離脱可能に止着される止着域とを有し、前記案内部材は、前記外面の外側において前記止着バンドを前記幅方向において跨ぐように延びていて前記止着バンドを越えた両部位が前記着衣対向面に固定されており、前記折り返し案内縁部が前記近位部と前記遠位部との間において前記止着バンドの前記幅方向へ延びており、前記案内部材の前記着衣対向面に固定された固定部のうちの少なくとも一部と、前記止着バンドの前記近位部のうちの少なくとも一部とが、前記前方域及び前記後方域のうちのいずれか一方の域にともに位置することを特徴とする前記着用物品。
【００５４】
上記段落００５３に開示した本発明に係るパンツ型着用物品は、少なくとも下記の実施の形態を含むことができる。
（１）前記案内部材の前記固定部の全体と前記止着バンドの前記近位部の全体とが、前記前方域及び前記後方域のうちのいずれか一方の域にともに位置する。
（２）前記一方の域は前記横軸の方向に伸縮可能な弾性域を有しており、前記弾性域は、前記固定部と重なった状態、または、前記固定部よりも前記横軸の方向の内側に位置する状態のいずれかの状態である。
（３）前記止着バンドと前記案内部材とは、繊維不織布シートから形成される。
（４）前記サイズ調整手段の使用前の状態において、前記止着域が、前記止着バンドの一部に止着されて外部に露出していない。
（５）製造時から需要者に供給されるまでの間において、前記案内部材が前記止着バンドを跨いだ態様にある。
（６）前記案内部材は、前記折り返し案内縁部を除く外周縁部が前記前ウエスト域における前記外面に固定されており、前記止着バンドの前記近位部と前記遠位部の前記先端を除く部分とが前記案内部材に被覆される。
（７）前記おむつ本体は、前ウエスト域と後ウエスト域とを有し、前記止着バンドの近位部は、前記前後ウエスト域の前記側縁部どうしが互いに重なり合って接合されるサイドシームにおいて接合される。
（８）前記サイズ調整手段は、前記止着バンドを前記長さ方向へ引っ張ったときに生じる前記案内部材との摺動を円滑化させるための手段を有する。
（９）前記円滑化させるための手段は、前記止着バンドと前記案内部材との摩擦を低減するための部材を配置してなる。
（１０）前記円滑化させるための手段は、前記止着バンドの前記外面に塗布されたシリコンオイルである。
（１１）前記円滑化させるための手段は、前記案内部材の前記止着バンドを覆う被覆部の前記内面に取り付けられたプラスチックフィルムである。
（１２）前記案内部材の前記止着バンドを覆う被覆部には、前記長さ方向へ延びる複数条の弾性体が伸長された状態かつ前記被覆部とともに収縮可能な状態で取り付けられる。
【符号の説明】
【００５５】
１０  パンツ型着用物品
１３  前ウエスト域
１４  後ウエスト域
１５  クロッチ域
２０  おむつ本体
２０Ａ  前方域
２０Ｂ  後方域
２２  サイドシーム
２６  止着バンド
２７  案内部材
２８  サイズ調整手段
７４  近位部
７５  遠位部
７６  止着域
８０  被覆部
８０ａ  折り返し案内縁部
９０  案内部材
９１  被覆部
９２  折り返し案内縁部
９５  案内部材弾性体（弾性部材）
【図１】
2014217583.tif 000003
【図２】
2014217583.tif 000004
【図３】
2014217583.tif 000005
【図４】
2014217583.tif 000006
【図５】
2014217583.tif 000007
【図６】
2014217583.tif 000008
【図７】
2014217583.tif 000009
【図８】
2014217583.tif 000010
【図９】
2014217583.tif 000011
【図１０】
2014217583.tif 000012
【図１１】
2014217583.tif 000013
【図１２】
2014217583.tif 000014
【図１３】
2014217583.tif 000015
【図１４】
2014217583.tif 000016
【図１５】
2014217583.tif 000017
【図１６】
2014217583.tif 000018